(57)【要約】【課題】連続読み取り時においても排出判定が可能で、排出口のジャム検出を適正に行う。【解決手段】印刷媒体に記録された記録情報を読み取るＭＩＣＲ１３と、記録情報を読み取った後の印刷媒体の排出を検出する排出検出器２８とを含む印刷媒体処理装置であって、ＭＩＣＲ１３で読み取った記録情報及び排出検出器２８で検出した検出情報をデジタル信号に変換するＡ／Ｄコンバータ４１と、Ａ／Ｄコンバータ４１でデジタル信号に変換した記録情報及び検出情報を記憶するメモリ４２と、メモリ４２に記憶された検出情報を参照して排出判定を行う制御部６０と、印刷媒体の搬送に合わせて順次選択したＭＩＣＲ１３又は排出検出器２８の出力をＡ／Ｄコンバータ４１へ供給するセレクタ７１とを備える。【選択図】図４
2007295466.tif 000002
【特許請求の範囲】
【請求項１】
印刷媒体に記録された記録情報を読み取る読み取り手段と、前記記録情報を読み取った後の印刷媒体の排出を検出する検出手段とを含む印刷媒体処理装置であって、
前記読み取り手段で読み取った記録情報及び前記検出手段で検出した検出情報をデジタル信号に変換する変換手段と、前記変換手段でデジタル信号に変換した記録情報及び検出情報を記憶する記憶手段と、前記記憶手段に記憶された検出情報を参照して排出判定を行う判定手段と、前記印刷媒体の搬送に合わせて順次選択した前記読み取り手段又は前記検出手段の出力を前記変換手段へ供給する選択手段とを備える印刷媒体処理装置。
【請求項２】
前記変換手段の各出力を前記印刷媒体の搬送に合わせて順次選択して前記記憶手段の異なる記憶領域へ供給する選択手段を備える請求項１記載の印刷媒体処理装置。
【請求項３】
前記判定手段は、前記印刷媒体の排出タイミングに合わせて参照した検出情報が、印刷媒体なしを示している場合に正常と判定し、印刷媒体ありを示している場合にジャムと判定する請求項１又は２記載の印刷媒体処理装置。
【請求項４】
印刷媒体に記録された記録情報を読み取る読み取り手段と、前記記録情報を読み取った後の印刷媒体の排出を検出する検出手段とを含む印刷媒体処理装置のジャム検出方法であって、
前記印刷媒体の搬送に合わせて前記読み取り手段又は前記検出手段の出力を順次選択する選択ステップと、選択した記録情報又は検出情報をデジタル信号に変換する変換ステップと、デジタル信号に変換した記録情報及び検出情報を記憶する記憶ステップと、記憶された検出情報を参照して排出判定を行う判定ステップとを含む紙ジャム検出方法。
【請求項５】
前記変換手段の各出力を前記印刷媒体の搬送に合わせて順次選択して前記記憶手段の異なる記憶領域へ供給するステップを含む請求項４記載の紙ジャム検出方法。
【請求項６】
前記判定ステップは、前記印刷媒体の排出タイミングに合わせて参照した検出情報が、印刷媒体なしを示している場合に正常と判定し、印刷媒体ありを示している場合にジャムと判定するステップを含む請求項４又は５記載の紙ジャム検出方法。
【発明の詳細な説明】
【技術分野】
【０００１】
本発明は、印刷媒体に記録された磁気インク文字等の記録情報を読み取る読み取り機能と、記録情報を読み取った後の印刷媒体の排出を検出する検出機能とを含む印刷媒体処理装置及びその紙ジャム検出方法に関する。
【背景技術】
【０００２】
従来、小切手やチェック紙等の用紙を搬送しながら用紙に印刷された情報の読み取りや用紙への印刷を行う印刷媒体処理装置が広く用いられている。この印刷媒体処理装置には、ロール紙等の連続紙上に印字を行い、レシート、入場券、その他の発行券等を発行する連続紙プリンタや、小切手、パーソナルチェック用紙等の単票紙を搬送路に沿って搬送しながら印刷を行うスリッププリンタが搭載されており、連続紙への印刷機能と単票紙の印刷機能を兼ね備えるとともに、単票紙に印刷された磁気インク文字や画像を読み取ることができる。
【０００３】
一般に、磁気インクの情報（磁気インク文字）の読み取りはＭＩＣＲ（Magnetic Ink Character Reader）によって行われ、画像の読み取りはイメージスキャナ等の画像読み取り装置によって行われる。これらの読み取り装置は搬送路に面して設けられ、各読み取り装置の読み取り位置に用紙が搬送されたときに読み取り処理が行われるように構成されている。
【０００４】
小切手などの単票用紙の表面には、口座番号や金額などの重要な情報が所定箇所に磁気インク文字で印刷されており、これらの磁気インク文字を読み取って照会することにより、その有効性を確認することができる。従って、ＭＩＣＲによる磁気インク文字の読み取り結果に応じて、その後の処理（例えば、印刷処理）の手順を変更可能な印刷媒体処理装置も提案されている（例えば、特許文献１参照）。
【０００５】
従来の印刷媒体処理装置では、チェック紙などの単票用紙の読み取りは１枚ずつ行っていた。図７は、従来の印刷媒体処理装置の単票用紙読み取り制御を示す制御ブロック図である。単票用紙読み取り制御の制御回路は、主として、ＭＩＣＲ１３や排出口近傍に配置された排出検出器２８などの各種読み取り装置、Ａ／Ｄコンバータ４１、メモリ４２、制御部６０を備えている。
【０００６】
上記回路構成における従来の単票用紙読み取り動作について図８のタイミングチャートを用いて説明する。制御部６０は、はじめに、所定の位置まで単票用紙を搬送し、ＭＩＣＲ１３で磁気インク文字の読み取りを開始させる。読み取りデータはアナログ信号であるため、Ａ／Ｄコンバータ４１で随時Ａ／Ｄ変換を行ってから（図中の時間ｔ１０）、メモリ４２に格納される。制御部６０は、メモリ４２に格納された読み取りデータに基づいて磁気インク文字情報に関する各種判断を行う。次に、その後の所定の搬送区間において排出検出器２８により単票用紙の排出検出を行う。排出検出器２８の検出信号もアナログ信号であるため、同様にＡ／Ｄコンバータ４１でＡ／Ｄ変換してから（図中の時間ｔ１１）、検出結果データがメモリ４２に格納される。制御部６０は、メモリ４２に格納された検出データに基づいて紙詰まり（ジャム）に係る判定を行う。
【０００７】
上記のように、従来の印刷媒体処理装置では、磁気インク文字の読み取りが終わった時にチェック紙の排出を実行し、排出が終了した後に排出検出器の状態を確認して紙詰まり（ジャム）の判定を行っていた。
【特許文献１】特開２００３−８７４９６号公報（第５頁−第１４頁、図５）
【発明の開示】
【発明が解決しようとする課題】
【０００８】
近年は、高速化への要請から単票用紙の連続読み取りが期待されている。連続読み取りを実現するには、従来のように１枚の単票用紙の排出が終了した時点で排出検出を行うというタイミングでは処理が間に合わないので、用紙の排出と次の用紙の読み取りを並行して実行しなければならない。ＭＩＣＲのＡ／Ｄ変換は一定間隔を守って実行しなければならないが、これと非同期に用紙が排出されたことを確認するために排出検出器のＡ／Ｄ変換を実行してしまうと、ＭＩＣＲのＡ／Ｄ変換間隔を守れなくなるためＭＩＣＲ読み取り精度に悪影響を与えてしまう。ＭＩＣＲのＡ／Ｄ変換の終了毎に、排出検出器のＡ／Ｄ変換を実行すればＭＩＣＲ読み取り精度に悪影響を及ぼすことはないが、この場合は必要なタイミングで排出検出器のＡ／Ｄ変換を行うことができないため、適切なジャム検出が行えないという課題があった。２つのＡ／Ｄ変換器でＭＩＣＲのＡ／Ｄ変換と排出検出器のＡ／Ｄ変換とを行うことも考えられるが、通常、製造コスト削減の観点からも印刷媒体処理装置には１つのＡ／Ｄコンバータしか搭載されない。
【０００９】
また、西日等の外乱光による誤判定対策として、排出検出器のＬＥＤの点灯に連動させて複数回の用紙検出を行う処理を実施しているような印刷媒体処理装置では、排出検出器の状態を決定するためにＡ／Ｄ変換処理を更に多く実行する必要があるため、ＭＩＣＲのＡ／Ｄ変換間隔をいっそう守れなくなる。したがって、連続読み取りにおけるジャム検出は益々困難となる。
【００１０】
本発明は、連続読み取り時においても排出判定が可能で、排出口のジャム検出を適正に行うことを目的とする。
【課題を解決するための手段】
【００１１】
本発明は、印刷媒体に記録された記録情報を読み取る読み取り手段と、前記記録情報を読み取った後の印刷媒体の排出を検出する検出手段とを含む印刷媒体処理装置であって、前記読み取り手段で読み取った記録情報及び前記検出手段で検出した検出情報をデジタル信号に変換する変換手段と、前記変換手段でデジタル信号に変換した記録情報及び検出情報を記憶する記憶手段と、前記記憶手段に記憶された検出情報を参照して排出判定を行う判定手段と、前記印刷媒体の搬送に合わせて順次選択した前記読み取り手段又は前記検出手段の出力を前記変換手段へ供給する選択手段とを備える。また、本発明は、印刷媒体に記録された記録情報を読み取る手段と、前記記録情報を読み取った後の印刷媒体の排出を検出する検出手段とを含む印刷媒体処理装置のジャム検出方法であって、前記印刷媒体の搬送に合わせて前記読み取り手段又は前記検出手段の出力を順次選択する選択ステップと、選択した記録情報又は検出情報をデジタル信号に変換する変換ステップと、デジタル信号に変換した記録情報及び検出情報を記憶する記憶ステップと、記憶された検出情報を参照して排出判定を行う判定ステップとを含む。
【００１２】
上記構成によれば、印刷媒体の搬送に合わせて記録情報及び検出情報を選択して変換器に供給することで、デジタル変換に必要な信号の変換タイミングをずらすことが可能となり、印刷媒体が連続して搬送される場合であっても検出情報を確実に取得することができ、連続読み取り時においても適正なジャム検出を行うことができる。
【００１３】
本発明において、前記変換手段の各出力を前記印刷媒体の搬送に合わせて順次選択して前記記憶手段の異なる記憶領域へ供給する。この構成によれば、印刷媒体の検出情報と次に搬送されてくる印刷媒体の記録情報とを同時に記憶させることが可能となる。
【００１４】
本発明において、前記印刷媒体の排出タイミングに合わせて参照した検出情報が、印刷媒体なしを示している場合に正常と判定し、印刷媒体ありを示している場合にジャムと判定する。この構成によれば、検出情報を参照するタイミングを排出タイミングに合わせることで、印刷媒体なしと判定されるべきタイミングで参照した検出情報が印刷媒体ありを示している場合にジャムと判定することが可能となる。
【発明の効果】
【００１５】
本発明によれば、印刷媒体の搬送に合わせて記録情報及び検出情報を選択して変換器に供給することで、デジタル変換に必要な信号の変換タイミングをずらすことが可能となり、印刷媒体が連続して搬送される場合であっても検出情報を確実に取得することができ、連続読み取り時においても適正なジャム検出を行うことができる。
【発明を実施するための最良の形態】
【００１６】
図１は本発明の一実施形態に係る印刷媒体処理装置を示す斜視図であり、図２は図１に示した印刷媒体処理装置の上面図であり、図３は図１に示した印刷媒体処理装置における用紙搬送路を示す模式図である。
【００１７】
本実施形態の印刷媒体処理装置１は、図１から図３に示すように、給紙部であるＡＳＦ（Auto Sheet Feeder:オートシートフィーダ）３に装填される小切手Ｓを筐体１ａに形成された用紙搬送路Ｐ１に沿って搬送しながら、小切手Ｓ上の両面画像の読み取り、小切手Ｓ上の磁気インク文字の読み取り、及び小切手Ｓへの裏書き印刷を実行可能に構成されている。また、印刷媒体処理装置１は、筐体１ａにおいて用紙搬送路Ｐ１に囲まれた中央部に設けられたロール紙カバー３０の下部にロール紙を収納するロール紙収納部（図示省略）が設けられ、収納されたロール紙は後述するキャリッジにより印刷可能である。印刷されたロール紙は、ロール紙排出口３１から印刷媒体処理装置１の外部に排出される。さらに、印刷媒体処理装置１は、図２に示すように用紙搬送路Ｐ１の下流側直線部分の上方に開口したバリデーション挿入口４０からバリデーション紙を挿入可能に構成されており、このバリデーション紙に対しても印刷を実行可能に構成されている。すなわち、本実施形態の印刷媒体処理装置１は、画像読取機能及び磁気インク文字読取機能を備え、小切手Ｓ、ロール紙及びバリデーション紙への印刷が可能な複合型多機能プリンタである。
【００１８】
図３に示すように、小切手Ｓを搬送する用紙搬送路Ｐ１は、略Ｕ字型形状を有しており、Ｕ字型の底部に相当する中間搬送路Ｍには各種読み取り装置が設けられている。図２に示すように、用紙搬送路Ｐ１のうち中間搬送路Ｍの上方は、筐体１ａの一部を構成する搬送路カバー１ｂによって覆われている。搬送路カバー１ｂは、中間搬送路Ｍに沿って配置される各種読み取り装置を外部から覆い隠すことにより保護している。
【００１９】
用紙搬送路Ｐ１は、図３に示すように、外側ガイドと内側ガイドとの間に画成された搬送部によって構成されており、搬送部に沿って小切手Ｓは搬送される。用紙搬送路Ｐ１の上流側には、複数の小切手Ｓを装填可能なＡＳＦが設けられている。小切手Ｓは、図３の矢印の方向からＡＳＦ（図３では図示省略）を介して用紙搬送路Ｐ１に挿入され、ＡＳＦに装填された複数の小切手Ｓは、一枚ずつ分離されて用紙搬送路Ｐ１内に送り出される。
【００２０】
用紙搬送路Ｐ１には、小切手Ｓの搬送を行う搬送手段として、中間搬送路Ｍの上流側に用紙搬送ローラ６と、中間搬送路Ｍの下流側に第２搬送ローラ７が設けられている。ＡＳＦから用紙搬送路Ｐ１内に送り出された小切手Ｓは、図３に示すように、用紙搬送ローラ６、第２搬送ローラ７によって中間搬送路Ｍ内を搬送され、排出口から排出される。
【００２１】
中間搬送路Ｍには、小切手Ｓの裏面のイメージを読み取る裏面スキャナ１１および表面のイメージを読み取る表面スキャナ１２がそれぞれ中間搬送路Ｍの両側に搬送方向にずれた状態で設置されている。裏面スキャナ１１および表面スキャナ１２は、それぞれＣＩＳ(Contact Image Sensor)タイプのスキャナである。各スキャナは、中間搬送路Ｍを搬送される小切手Ｓの一面に光を照射し、小切手Ｓ上で反射した光を複数の受光素子（光電変換素子）を介して受光し、受光した光を電気信号に変換して１ライン分の画像を取得する。１ラインずつ順次読み取ることにより、小切手Ｓの二次元画像を取得する。
【００２２】
スキャナ１１、１２の下流側には、磁気インク文字を読み取る磁気インク文字読み取り装置（ＭＩＣＲ）１３が設置されている。ＭＩＣＲ１３は、小切手Ｓの表面に印刷された磁気インク文字を読みとるためのセンサである。ＭＩＣＲ１３は、中間搬送路Ｍを介してＭＩＣＲ１３に対向配置された押付レバー３０によって小切手ＳがＭＩＣＲ１３の表面に押し付けられた状態で読み取りを実行する。本実施形態では、小切手Ｓの口座番号などの情報が磁気インク文字で印刷された磁気インク文字記録領域を読み取るように構成されている。
【００２３】
また、第２搬送ローラ７の下流側の用紙搬送路Ｐ１に沿った直線領域には、図示しないキャリッジが用紙搬送路Ｐ１の直線部分に沿って移動可能に配置されている。キャリッジには、インクを吐出する複数のインクノズルを有する印刷ヘッドが設けられており、複数のインクノズルからインクを吐出することにより、小切手Ｓへの裏書、バリデーション紙への印刷、またはロール紙への印刷を実行する。
【００２４】
次に、用紙搬送路Ｐ１に設けられた用紙検出器について説明する。本実施の形態の用紙搬送路Ｐ１には、ＴＯＦ(Top Of Form)検出器１０と、排出検出器２８の２つの用紙検出器が設けられている。検出器１０、２８は、例えば光学式の用紙検出器であり、それぞれ検出器前面における用紙の有無を検出可能に構成されている。ＴＯＦ検出器１０は、裏面スキャナ１１の上流側に設けられており、裏面スキャナ１１に送り込まれる小切手Ｓを検出する。排出検出器２８は、排出口近傍に設けられており、排出口から排出される小切手Ｓを検出する。
【００２５】
図４は、本実施の形態の印刷媒体処理装置の、Ａ／Ｄコンバータの入力チャンネル制御を示す制御ブロック図である。Ａ／Ｄコンバータの入力チャンネル制御に係る制御回路は、主として、ＭＩＣＲ１３、排出検出器２８などの各種読み取り装置、Ａ／Ｄコンバータ４１、メモリ４２、制御部６０、Ａ／Ｄコンバータへの入力チャンネルを選択するセレクタ７１、Ａ／Ｄコンバータからの出力チャンネルを選択する７２を備えている。制御部６０は、Ａ／Ｄコンバータ入力チャンネル切り替え制御部６１とＡ／Ｄコンバータ出力切り替え制御部６２を含む。
【００２６】
Ａ／Ｄコンバータ入力チャンネル切り替え制御部６１は、Ａ／Ｄコンバータ４１への入力チャンネルの切り替えを制御する。つまり、Ａ／Ｄコンバータ４１の入力側と、ＭＩＣＲ１３または排出検出器２８との接続を用紙の搬送に合わせて周期的に切り替えることにより、取得する信号（磁気インク文字データの読み取り信号または排出口近傍における用紙有無の検出信号）の切り替えを行う。Ａ／Ｄコンバータ出力切り替え制御部６２は、Ａ／Ｄ変換後の読み取りデータをメモリ４２へ格納する際の書き込み位置の切り替えを制御する。つまり、Ａ／Ｄコンバータ入力チャンネル切り替え制御部６１により周期的に変化する入力信号に応じたＡ／Ｄ変換結果を、種類ごとに区別して格納するため、メモリ４２内の書き込みポインタを用紙の搬送に合わせて切り替える。メモリ４２は、マルチバッファとして機能する。図５は、メモリ４２のデータマップを示す模式図である。本実施の形態では、記憶領域を、ＭＩＣＲ１３の読み取り信号のＡ／Ｄ変換結果格納領域４２ａと、排出検出器２８の検出信号のＡ／Ｄ変換結果格納領域４２ｂとに分割している。
【００２７】
上記回路構成におけるチェック紙（小切手Ｓ）の読み取り動作について図６のタイミングチャートを用いて説明する。小切手Ｓは、各種搬送ローラ６、７等を駆動するステッピングモータの所定の回転により用紙搬送路Ｐ１内を搬送される。ＴＯＦ検出器１０が小切手Ｓの先端を検知した後（図中の時刻Ｔ１）、所定ステップ数だけステッピングモータが回転して小切手Ｓが搬送されると、ＭＩＣＲ１３の読み取り開始位置に到達する（図中の時刻Ｔ２）。
【００２８】
時刻Ｔ２において、制御部６０のＡ／Ｄコンバータ入力チャンネル切り替え制御部６１は、Ａ／Ｄコンバータ４１の入力側をＭＩＣＲ１３に切り替え、ＭＩＣＲ１３の出力（読み取り信号）がＡ／Ｄ変換される。一方、Ａ／Ｄコンバータ出力切り替え制御部６２は、ＭＩＣＲ１３の読み取り信号のＡ／Ｄ変換結果がＡ／Ｄコンバータ４１から出力される用紙の搬送に合わせたタイミングで、メモリ４２の書き込みポインタをＭＩＣＲのＡ／Ｄ変換結果の領域４２ａへ切り替える。これにより、ＭＩＣＲ１３の読み取り結果がメモリ４２の領域４２ａへ格納される。尚、Ａ／Ｄ変換時間（図中のｔ１ａ）は、読み取り信号のＡ／Ｄ変換が十分に行える時間である。
【００２９】
次に、ＭＩＣＲ１３の読み取り信号のＡ／Ｄ変換開始時刻（図中のＴ２）から所定時間経過後（図中のＴ３）、制御部６０のＡ／Ｄコンバータ入力チャンネル切り替え制御部６１は、Ａ／Ｄコンバータ４１の入力側を排出検出器２８にスイッチし、排出検出器２８の出力（検出信号）がＡ／Ｄ変換される。一方、Ａ／Ｄコンバータ出力切り替え制御部６２は、排出検出器２８の検出信号のＡ／Ｄ変換結果がＡ／Ｄコンバータ４１から出力されるタイミングで、メモリ４２の書き込みポインタを排出検出器のＡ／Ｄ変換結果の領域４２ｂへスイッチする。これにより、排出検出器２８の検出結果がメモリ４２の領域４２ｂへ格納される。尚、Ａ／Ｄ変換時間（図中のｔ１ｂ）は、検出信号のＡ／Ｄ変換が十分に行える時間である。また、排出検出器の読み取り信号のＡ／Ｄ変換開始時刻（図中のＴ３）は、Ｔ２を基点とするタイマーカウントにより制御される。
【００３０】
制御部６０は、ＭＩＣＲの読み取り信号のＡ／Ｄ変換と排出検出器の検出信号のＡ／Ｄ変換とを１つの周期（図中のｔ１）とするチェック紙の読み取り動作を、ＭＩＣＲ読み取り区間に渡って多数回繰り返す。そして、ＭＩＣＲ読み取り区間終了時点で、制御部６０は、メモリ４２のＭＩＣＲ読み取り信号のＡ／Ｄ変換結果格納領域４２ａと排出検出器検出信号のＡ／Ｄ変換結果格納領域４２ｂとを参照することにより、磁気インク文字情報の読み取りと排出検出位置におけるジャムの判定を同時に行うことができる。ＭＩＣＲの読み取り区間中に排出検出器が必ず「紙なし」を検出する区間は分かっているため、その区間で排出検出器の検出結果を確認することで正しく排出されたと判断することができる。
【００３１】
制御部６０は、排出検出において「紙なし」と判定すれば、正常に排出が行われたと判定し、排出検出において「紙あり」と判定すれば、排出時にジャムが発生したと判定する。ジャム発生と判定した場合、以降の連続読み取りを中止することにより、ジャムの被害が拡大することを防止できる。
【００３２】
以上のように、読み取り開始位置（図中の時刻Ｔ２）から読み取り終了位置（図中の時刻Ｔｎ）までのＭＩＣＲ読み取り区間において、微小な読み取り周期（ｔ１）で、磁気インク文字読み取りと排出検出が交互に多数回実行され、それぞれのＡ／Ｄ変換結果がメモリ４２の所定領域に格納される。制御部６０は、メモリ４２に格納された変換結果のうち必要なデータを参照することにより、ＭＩＣＲ読み取りを行っている用紙の直前に挿入した用紙が、排出検出位置において「用紙あり」であるか「用紙なし」であるか、即ち、排出口近傍においてジャムが発生しているか否かを判定する。従って、単票用紙の連続読み取りにおいて、磁気インク文字の読み取りと排出口のジャム判定とを同時に行うことができる。
【００３３】
尚、上記の実施の形態では、Ａ／Ｄ変換を要する読み取り装置または検出器としてＭＩＣＲと排出検出器を例に説明したが、その他にも画像スキャナやＡＳＦ検出器、バリデーション検出器、紙厚検出器などがあり、これらを搭載した印刷媒体処理装置についても、Ａ／Ｄコンバータの入力チャンネルを所定のタイミングで切り替えることにより、連続読み取り時においてもそれぞれの検出機能を有効にすることが可能である。但し、この時それぞれの読み取り装置または検出器に割り当てられる時間は、読み取り装置または検出器の分解能、即ち必要な読み取りや検出が行える時間以上でなければならない。
【００３４】
このように、本実施形態の印刷媒体処理装置は、Ａ／Ｄコンバータ４１への入力とするアナログ信号をＭＩＣＲ１３または排出検出器２８から選択するためのＡ／Ｄコンバータ入力チャンネル切り替え制御部６１と、Ａ／Ｄコンバータ４１の変換結果を、アナログ信号の種類に応じて区別してメモリ４２の所定領域に時系列で格納するためのＡ／Ｄコンバータ出力切り替え制御部６２と、メモリ４２に格納された変換結果に基づいて、磁気インク文字情報の読み取りや排紙詰まりの検出に係る判定を行う制御部６０とを備えるように構成されている。したがって、連続読み取り時においても排出判定が可能で、排出口のジャム検出を適正に行える。
【図面の簡単な説明】
【００３５】
【図１】本発明の一実施形態に係る印刷媒体処理装置を示す斜視図である。
【図２】図１に示した印刷媒体処理装置の上面図である。
【図３】図１に示した印刷媒体処理装置における用紙搬送路を示す模式図である。
【図４】本実施の形態の印刷媒体処理装置の、Ａ／Ｄコンバータの入力チャンネル制御を示す制御ブロック図である。
【図５】メモリのデータマップを示す模式図である。
【図６】本実施の形態の印刷媒体処理装置の、単票用紙読み取り動作手順を示すタイミングチャートである。
【図７】従来の印刷媒体処理装置の単票用紙読み取り制御を示す制御ブロック図である。
【図８】従来の単票用紙読み取り動作手順を示すタイミングチャートである。
【符号の説明】
【００３６】
１・・・印刷媒体処理装置、１０・・・ＴＯＦ、１１・・・裏面スキャナ、１２・・・表面スキャナ、１３・・・ＭＩＣＲ、２８・・・排出検出器、３０・・・押付レバー、４１・・・Ａ／Ｄコンバータ、４２・・・メモリ、４２ａ・・・ＭＩＣＲの読み取り信号のＡ／Ｄ変換結果格納領域、４２ｂ・・・排出検出器の検出信号のＡ／Ｄ変換結果格納領域、６１・・・Ａ／Ｄコンバータ入力チャンネル切り替え制御部、６２・・・Ａ／Ｄコンバータ出力切り替え制御部、７１、７２・・・セレクタ
【図１】
2007295466.tif 000003
【図２】
2007295466.tif 000004
【図３】
2007295466.tif 000005
【図４】
2007295466.tif 000006
【図５】
2007295466.tif 000007
【図６】
2007295466.tif 000008
【図７】
2007295466.tif 000009
【図８】
2007295466.tif 000010